(57)【要約】    【課題】ブーム上面がその上方の障害物に衝突することを防止するかあるいは損傷を軽減できる構成の伸縮ブームを提供する。    【解決手段】断面のサイズが異なる複数本の筒型をなす分割ブーム９〜１１を伸縮可能に組み合わせて伸縮ブーム７を構成する。分割ブーム９〜１１の上面に、ブーム７の上方の障害物に衝突することにより変形するガード部材１７、２１、２２を取付ける。ガード部材１７、２１、２２が、そのガード部材１７、２１、２２を取付けた分割ブーム９〜１１の上面の位置を示唆する見切り部材を兼ねる。【選択図】図１
2007063007.tif 000002
【特許請求の範囲】
【請求項１】
断面のサイズが異なる複数本の筒型をなす分割ブームを伸縮可能に組み合わせてなる伸縮ブームにおいて、
少なくとも最外側の分割ブームの上面に、ブームの上方の障害物に衝突した際に分割ブームより変形しやすいガード部材を取付けたことを特徴とする伸縮ブーム。
【請求項２】
請求項１に記載の伸縮ブームにおいて、
前記ガード部材が、そのガード部材を取付けた分割ブームの上面の位置を示唆する見切り部材を兼ねることを特徴とする伸縮ブーム。
【請求項３】
請求項１または２に記載の伸縮ブームにおいて、
前記分割ブームの断面の頂部が山形をなすことを特徴とする伸縮ブーム。
【請求項４】
請求項１から３までのいずれかに記載の伸縮ブームにおいて、
前記ガード部材が交換可能であることを特徴とする伸縮ブーム。
【請求項５】
請求項１から４までのいずれかに記載の伸縮ブームにおいて、
前記ガード部材を各分割ブームのすべてに取付けたことを特徴とする伸縮ブーム。
【発明の詳細な説明】
【技術分野】
【０００１】
本発明は、クレーンや掘削機等の作業機本体に取付けられる伸縮ブームに係わり、特に伸縮ブームが上方の障害物に衝突することによって損傷することを防止する手段を有する伸縮ブームに関する。
【背景技術】
【０００２】
クレーンなどの作業機においては、作業環境に応じて作業半径や作業高さを変更するため、自走式作業機本体に伸縮ブームを取付け、その伸縮ブームの頂部に作業具を取付けたりワイヤロープを介して作業具や吊具を垂下して作業を行なう（特許文献１参照）。
【０００３】
【特許文献１】特開２００４−５９１８３号公報
【発明の開示】
【発明が解決しようとする課題】
【０００４】
従来の伸縮ブームを有する作業機を用いて地下工事等を行なう場合、鋼材でなる梁や天井等が設けられた障害物の多い作業現場で作業を行なうこととなり、このため、伸縮ブームを上げる際に伸縮ブームの上面が障害物に衝突して伸縮ブームが損傷することがあるという問題点がある。
【０００５】
このため、オペレータが伸縮ブームの高さを制限可能とする高さ設定機能を付加した作業機もあるが、しかし実際の現場では場所によって障害物の高さが異なることが多く、伸縮ブームの高さを制限したのでは、作業機を移動するごとに制限高さを設定し直さなければならず、面倒である。このため、実際にはこの高さ制限機能を用いないで作業することが多いため、問題の解決にならない。また、仮に高さ制限機能を用いたとすると、障害物と伸縮ブームの上面との間にある程度以上の間隔を維持した状態で作業を行なう必要があり、作業能率が悪くなることがあるという問題点がある。
【０００６】
本発明は、上記問題点に鑑み、高さ制限機能を用いなくてもブーム上面がその上方の障害物に衝突することを防止することが可能であるかあるいは損傷を軽減できる構成の伸縮ブームを提供することを目的とする。
【課題を解決するための手段】
【０００７】
請求項１の伸縮ブームは、断面のサイズが異なる複数本の筒型をなす分割ブームを伸縮可能に組み合わせてなる伸縮ブームにおいて、
少なくとも最外側の分割ブームの上面に、ブームの上方の障害物に衝突した際に分割ブームより変形しやすいガード部材を取付けたことを特徴とする。
【０００８】
請求項２の伸縮ブームは、請求項１に記載の伸縮ブームにおいて、
前記ガード部材が、そのガード部材を取付けた分割ブームの上面の位置を示唆する見切り部材を兼ねることを特徴とする。
【０００９】
請求項３の伸縮ブームは、請求項１または２に記載の伸縮ブームにおいて、
前記分割ブームの断面の頂部が山形をなすことを特徴とする。
【００１０】
請求項４の伸縮ブームは、請求項１から３までのいずれかに記載の伸縮ブームにおいて、
前記ガード部材が交換可能であることを特徴とする。
【００１１】
請求項５の伸縮ブームは、請求項１から４までのいずれかに記載の伸縮ブームにおいて、
前記ガード部材を各分割ブームのすべてに取付けたことを特徴とする。
【発明の効果】
【００１２】
請求項１の発明によれば、上方に障害物がある工事の際に、オペレータの不注意により伸縮ブームの上面が障害物に当接するような操作をした場合、ガード部材が先行して当接するので、その衝撃をオペレータが感知して上げ操作を中止してガード部材による緩衝作用によって伸縮ブーム自体の損傷を防止するかあるいは軽減することができる。また、伸縮ブームの上面が障害物に近接する位置まで伸縮ブームを動かすことができるので、作業範囲が拡がり、作業能率を上げることができる。
【００１３】
請求項２の発明によれば、ガード部材が伸縮ブームの上面の位置を示唆する見切り部材を兼ねるため、オペレータは分割ブーム上面の位置の確認が容易となり、伸縮ブームを上げる際の障害物に対する衝突を事前に予防することができる。
【００１４】
請求項３の発明によれば、前記分割ブームの断面の頂部が山形をなすので、伸縮ブームの上面の頂部が確認しにくくなるが、見切り部材としてのガード部材を設けることにより、伸縮ブームの断面の頂部の位置のオペレータによる確認が容易となり、上面が平らな場合に比較して伸縮ブーム上面の確認効果の意味でより顕著な効果を発揮することができる。
【００１５】
請求項４の発明によれば、前記ガード部材が交換可能であるため、ガード部材が障害物に衝突して損傷した際に、ガード部材を交換することにより、伸縮ブームの衝突した分割ブームを交換することなく、廉価に補修することができる。
【００１６】
請求項５の発明によれば、前記ガード部材を各分割ブームのすべてに取付けたので、伸縮ブームを伸長させた状態においても各段の分割ブームの損傷を防止または軽減することができる。
【発明を実施するための最良の形態】
【００１７】
図１は本発明による伸縮ブームの一実施の形態を示す作業機の側面図である。この作業機はクレーンを構成するものであり、作業機本体１は、走行体２上に旋回装置３を介して旋回体４を設置し、旋回体４上に油圧源となるパワーユニット５や運転室６を搭載して構成される。７は多段伸縮式の伸縮ブームであり、この伸縮ブーム７は油圧シリンダ８の伸縮により旋回体４に起伏可能に取付けられる。
【００１８】
伸縮ブーム７は、サイズが異なる複数の分割ブーム９〜１１を、内蔵する油圧シリンダ（図示せず）や各分割ブーム９〜１１の先端や基部のうちの必要部分に取付けたシーブ１２やそれに掛けるワイヤロープ（図示せず）により伸縮させるものである。旋回体４上あるいは最も外側の分割ブーム９の基端部にはウインチ（図示せず）を搭載し、そのウインチにより繰り出し巻き取りされるワイヤロープ１５を、最も内側の分割ブーム１１の先端に設けたシ―ブブロック１３と、フック１４ａを有するシーブブロック１４との間に掛け回している。
【００１９】
本実施の形態においては、図２の断面図に示すように、伸縮ブーム７を構成する分割ブーム９〜１１は断面の頂部が山型をなし、下部が谷状をなす６角形をなし、もって上下方向の耐荷重性能を高めたものについて示している。また、本実施の形態においては、伸縮ブーム７が３本の分割ブーム９〜１１により構成されているが、２本あるいは４本以上の分割ブームにより構成される場合もある。
【００２０】
この伸縮ブーム７は、中分割ブーム１０と内分割ブーム１１の基端部外面に、それぞれ外側に隣接する分割ブーム９、１０の内面に当接させて分割ブームどうしの移動を円滑化するスライドプレート１６ａ、１６ｂを取付けている。なお、最外側の外分割ブーム９や中分割ブーム１０の先端の内面に設けられているスライドプレートは図示されていない。
【００２１】
１７は外分割ブーム９の上面に取付けたガード部材である。このガード部材１７は断面形状が逆Ｕ字形をなし、その左右の下縁を、分割ブーム９の側板部に設けたねじ孔またはナット（図示せず）に螺合するボルト１９によって分割ブーム９の両側面（上面でもよい）に固定して交換可能に取付けられる。
【００２２】
このガード部材１７は分割ブーム９の全長にわたって設けるか、もしくは、分割ブーム９が上方の障害物２０に当接する可能性のある高さの範囲、すなわち分割ブーム９を最も起立させた際に分割ブーム９の先端より少なくとも運転室６より高くなる分割ブーム９の部位にわたり設けることが好ましいが、例えば上半部のみに設けるようにしてもよい。
【００２３】
このガード部材１７は分割ブーム９〜１１を構成する鋼材より薄い板材または柔らかい例えば硬質ゴム材料からなり、分割ブーム９より変形しやすい緩衝材の役目を果たすものである。このガード部材１７は分割ブーム９の断面の頂部との間に隙間Ｇ１を有している。このガード部材１７は分割ブーム９の断面の頂部の位置を、運転室６内にいるオペレータから確認しやすくする見切り部材としての役目も果たしている。このガード部材１７は、オペレータが視認しやすくなるように、分割ブーム９より明色のもので構成することが好ましい。
【００２４】
さらにこの実施の形態においては、中分割ブーム１０および内分割ブーム１１の断面の頂部にガード部材２１、２２を取付けている。各ガード部材２１、２２はそれぞれ分割ブーム１０、１１の上面に溶接により固定した逆Ｕ実形のガード部材本体２３、２４と、その上面に設けた凹溝２５、２６にそれぞれ交換可能に嵌め込んだ見切り部材２７、２８とからなる。これらの見切り部材２７、２８はガード部材本体２３、２４にそれぞれボルトにより交換可能に取付けてもよい。
【００２５】
これらのガード部材２１、２２と分割ブーム１０、１１の断面の頂部との間にはそれぞれ隙間Ｇ２、Ｇ３が形成されるとともに、ガード部材本体２３、２４は分割ブーム１０、１１より薄い部材かあるいは変形しやすい硬質ゴム材料を用いることにより、ガード部材２１、２２が緩衝作用をなし、見切り部材２７、２８が主としてオペレータが分割ブーム１０、１１の上面の位置を確認する役目を果たすもので、見切り部材２７、２８はこれらをオペレータが見やすくなるようにガード部材本体２３、２４より上方に突出して取付けられる。また、見切り部材２７、２８はその視認が確認しやすくなるように分割ブーム１０、１１より明色のもので構成することが好ましい。見切り部材２７、２８も薄い鋼板あるいは硬質ゴム材料などで構成する。
【００２６】
このように、本発明においては、伸縮ブーム７の分割ブーム９〜１１の上面にガード部材１７、２１、２２を設けたので、地下工事等の際に、オペレータの不注意により伸縮ブーム７の上面が障害物２０に当接するような操作をした場合、ガード部材１７、２１、２２が先行して当接するので、その衝撃をオペレータが感知して上げ操作を中止したり、ガード部材１７、２１、２２による緩衝作用によって伸縮ブーム７自体の損傷を防止することができる。また、伸縮ブーム７の上面が障害物２０に近接する位置まで伸縮ブーム７を動かすことができるので、作業範囲が拡がり、作業能率を上げることができる。
【００２７】
また、ガード部材１７、２１、２２が見切り部材を兼ねるため、オペレータは分割ブーム７上面の位置を確認しながら作業を行なうことができ、伸縮ブーム７を上げる際の障害物２０に対する衝突を事前によりよく防止することができる。
【００２８】
また、本発明は、分割ブーム９〜１１の上面が平面である場合にも適用できるが、本実施の形態においては、前記分割ブーム９〜１１の断面の頂部が山形をなすので、伸縮ブーム７を斜め下から見るオペレータにとっては、分割ブーム９〜１１の上面の頂部が確認しにくくなるが、見切り部材としての役目を果たすガード部材１７、２１、２２を設けることにより、上面が平らな場合に比較してより顕著な上面視認効果を発揮することができる。
【００２９】
また、ガード部材１７が交換可能であり、また、ガード部材２１、２２は見切り部材２７、２８の部分を交換可能としたため、ガード部材１７、２１、２２が障害物に衝突して損傷した際に、ガード部材１７そのものあるいは見切り部材２１、２２を交換することにより、伸縮ブーム７の衝突した分割ブーム９〜１１の１つを交換することなく、廉価に補修することができる。
【００３０】
なお、ガード部材２１、２２は本体２３、２４と見切り部材２７、２８に分割するのではなく、１つの部材として、ボルトによりそれぞれ分割ブーム１０、１１に交換可能に取付ける構成としてもよい。
【００３１】
また、本実施の形態においては、ガード部材１７、２１、２２を各分割ブーム９〜１１のすべてに取付けたので、伸縮ブーム７を伸長させた状態においても各段の分割ブーム９〜１１の損傷を防止または軽減することができる。
【００３２】
図３は本発明の他の実施の形態であり、各分割ブーム９の左右にそれぞれ各分割ブーム９〜１１の断面の頂部よりそれぞれ上方に突出するように、伸縮ブーム７の長手方向に長いガード部材３０、３１、３２をボルト１９により着脱可能に取付けたものである。この実施の形態によっても各分割ブーム９〜１１と障害物２０との衝突防止効果と分割ブーム９〜１１の損傷防止効果をあげることができる。
【図面の簡単な説明】
【００３３】
【図１】本発明による伸縮ブームの一実施の形態を示すクレーンの側面図である。
【図２】本実施の形態の伸縮ブームの断面図である。
【図３】本発明の他の実施の形態を示すブームの断面図である。
【符号の説明】
【００３４】
１：作業機本体、２：走行体、３：旋回装置、４：旋回体、５：パワーユニット、６：運転室、７：伸縮ブーム、８：油圧シリンダ、９〜１１：分割ブーム、１２：シーブ、１３：ウインチ、１４：シーブブロック、１４ａ：フック、１５：ワイヤロープ、１６ａ、１６ｂ：スライドプレート、１７：ガード部材、２０：障害物、２１、２２：ガード部材、２３、２４：ガード部材本体、２５、２６：凹部、２７、２８；見切り部材、３０〜３２：ガード部材
【図１】
2007063007.tif 000003
【図２】
2007063007.tif 000004
【図３】
2007063007.tif 000005